(57)【特許請求の範囲】
【請求項１】
本体内の商品収納部から払い出された商品を、商品取出口に搬出して販売する自動販売機において、前記商品取出口は、前記商品を取り出す開口部と、前記開口部を開閉する取出口扉と、当該商品取出口の上部に形成され前記商品収納部から当該商品取出口へ商品を搬出するための商品搬出口とを備え、前記取出口扉は上端を軸支され、前記開口部に対応する部分が透明部により形成され、前記開口部に対応する部分の下部を前記商品取出口の内方に向かって断面「く」字状に屈曲して形成され、前記商品取出口の内方に回動することにより、前記開口部を開放して商品を取り出し可能な開放位置に移動するとともに、前記搬出口をその背面部により閉塞することを特徴とする自動販売機。
【請求項２】
前記取出口扉の下端に、幅方向に渡って防盗板を前方へ搖動自在に連結したことを特徴とする請求項１に記載の自動販売機。
【発明の詳細な説明】
【技術分野】
【０００１】
本発明は、本体内に設けた商品収納コラムから商品を商品取出口に搬出して販売する自動販売機に関し、特に商品取出口に防盗機能を備える自動販売機に関する。
【背景技術】
【０００２】
各種の商品を販売する自動販売機は、その前面に商品を取り出す商品取出口を備え、その内部に販売商品や現金等が収納されている。このため、この商品取出口から、手や棒等を挿入して内部の商品等を盗み取ろうとする悪戯が発生する虞がある。特に、大型商品等を含む多様な商品を販売する自動販売機では、商品取出口が比較的に大きく形成され手や棒等が挿入し易くなるため、盗難や悪戯の対象となり易い。
【０００３】
そして、このような従来の盗難、悪戯の問題を解決する装置として、先に公開された特開２００１−１０１４９６号公報(特許文献１)に記載されるような自動販売機の商品取出口装置が知られている。この特許文献1に記載される装置は、自動販売機の本体前面の前面扉に設けられた商品取出口と、この商品取出口を開閉する商品取出口扉と、本体内の商品収納部から搬送された商品を商品取出口に受け渡す商品搬出口と、商品取出口扉の背面側に設けられる第一の防盗板と、この第一の防盗板と連動して商品搬出口を開放、閉塞する第二の防盗板とを備えたものであって、商品取出口扉を開放して商品を商品取出口から取り出すとき、第一の防盗板を押し開いて商品取出口を開放すると、商品搬出口を開放した状態にある第二の防盗板がこれと連動して回動し商品搬出口を閉塞し、手や棒等を内部に挿入できないようにするものである。
【０００４】
そして、これによれば、商品取出口を第一の防盗板を押し開いて開放するとき、これと連動する第二の防盗板により確実に商品搬出口を閉塞することができるから、例えば奥行の深い商品取出口等、商品取出口が比較的に大きく形成される自動販売機であっても、商品の盗難等の悪戯を防止することができるというものである。
【先行技術文献】
【特許文献】
【０００５】
【特許文献１】特開２００１−１０１４９６号公報
【発明の概要】
【発明が解決しようとする課題】
【０００６】
ところで、このような従来の自動販売機の商品取出口装置は、商品取出口を開閉する商品取出口扉の他に、商品取出口扉の背面に設けられる第一の防盗板、商品搬出口を開放、閉塞する第二の防盗板、及び第一の防盗板と第二の防盗板を連動させるリンク機構等の構成が必要であるから、構造が複雑で、コストも高い。また、商品取出口の内部に第一の防盗板と第二の防盗板の稼動空間を設ける必要があるから、商品取出口が一層大型化する問題があった。
【０００７】
本発明は、このような問題に対応するため、構造が簡単で、コストが安く、コンパクトに構成することができるとともに、商品の盗難等の悪戯を防止することができる商品取出口を備えた自動販売機を提供することを目的とするものである。
【課題を解決するための手段】
【０００８】
上記課題を解決するため、請求項１に係る発明は、本体内の商品収納部から払い出された商品を、商品取出口に搬出して販売する自動販売機において、前記商品取出口は、前記商品を取り出す開口部と、前記開口部を開閉する取出口扉と、当該商品取出口の上部に形成され前記商品収納部から当該商品取出口へ商品を搬出するための商品搬出口とを備え、前記取出口扉は上端を軸支され、前記開口部に対応する部分が透明部により形成され、前記開口部に対応する部分の下部を前記商品取出口の内方に向かって断面「く」字状に屈曲して形成され、前記商品取出口の内方に回動することにより、前記開口部を開放して商品を取り出し可能な開放位置に移動するとともに、前記搬出口をその背面部により閉塞するものである。
【０００９】
これによれば、前記取出口扉を前記商品取出口の内方に押し込んで回動し、商品を取り出すとき、前記商品搬出口を前記取出口扉の背面部によって閉塞して、手や棒等を内部に挿入できないようにすることができる。すなわち、これにより前記商品収納部に収納される商品の盗難等の悪戯を防止することができる。
【００１０】
また、請求項２に係る発明は、請求項１に記載の自動販売機において、前記取出口扉の下端に、幅方向に渡って防盗板を前方へ搖動自在に連結したものである。これによれば、前記取出口扉を前記商品取出口の内方に押し込んで回動し、商品を取り出すとき、前記防盗板をその下端から垂らして前記商品搬出口をさらに広く覆い、手や棒等をその奥側の前記商品収納部に挿入し難くすることができる。
【発明の効果】
【００１１】
以上説明したように請求項１に係る発明によれば、取出口扉を商品取出口の内方に押し込んで商品を取り出すとき、商品搬出口をその背面部により閉塞して、商品収納部に収納される商品の盗難等の悪戯を防止することができるから、構造が簡単で、コストが安く、その構成をコンパクトにすることができるとともに、商品の盗難等の悪戯を防止することができる商品取出口を備えた自動販売機を提供することができる。また、請求項２に係る発明によれば、取出口扉を商品取出口の内方に押し込んで商品を取り出すとき、防盗板をその下端から垂らして商品搬出口を広く覆い、手や棒等をその奥側の商品収納部に挿入し難くすることができるから、防盗性能を向上させた商品取出口を備えた自動販売機を提供することができる。
【図面の簡単な説明】
【００１２】
【図１】本発明の実施の形態に係る自動販売機を示す正面図である。
【図２】本発明の実施の形態に係る自動販売機の内部構造を示す側断面図である。
【図３】本発明の実施の形態に係る自動販売機において前扉を開いた状態を示す斜視図である。
【図４】本発明の実施の形態に係る自動販売機を制御する制御手段を示すブロック図である。
【図５】本発明の実施の形態に係る自動販売機の商品取出口を示す図であって、（ａ）は取出口扉により開口部を閉じた状態、（ｂ）は取出口扉を奥側に回動して開口部を開放した状態をそれぞれ示す側断面図である。
【発明を実施するための形態】
【００１３】
以下、本発明の実施の形態の自動販売機について、図面を参照して説明する。
図１は本発明の実施の形態に係る自動販売機を示す正面図、図２は本発明の実施の形態に係る自動販売機の内部構造を示す側断面図、図３は本発明の実施の形態に係る自動販売機において前扉を開いた状態を示す斜視図である。また、図４は、本発明の実施の形態に係る自動販売機を制御する制御手段を示すブロック図である。
【００１４】
図１乃至図３に示すようにこの自動販売機は、前面を開口した本体１と、本体１前面の開口を開閉自在に覆う前扉２を備えている。そして、本体１内には、前面が開口し周囲を断熱部材により囲繞された収納庫３が設けられ、その収納庫３内には商品を前後一列に並べて収納する商品収納コラム５を上下段、左右列に並べて構成した商品収納部４が設けられている。商品収納コラム５は、販売指令に基づいて商品を前方に送り出すように構成された２列のスパイラル部材２６等から構成されている。
【００１５】
前扉２と本体1内に配置された商品収納部４の前面との間には、各商品収納コラム５から送出された商品を受容し、後述の商品取出口８に送出する商品搬送装置１０が設けられている。この商品搬送装置１０は、制御手段３０（図４参照）によりその動作が制御される。
【００１６】
前扉２は、商品収納コラム５に収納した商品、及び商品販売時に顧客の購入した商品が商品収納コラム５から商品搬送装置１０に送出されて商品取出口８に送出される販売動作が、外部から目視、観察できるように、それらに対応する領域に透明板７が配設されている。また、透明板７の側方には操作部が形成され、数字キーの組合せで販売商品を指定するテンキーボタン１７、紙幣処理装置の紙幣挿入口１８ａ、硬貨処理装置の硬貨投入口１８ｂ、釣銭等を返却する金銭返却レバー１９、販売情報を表示する表示器２０、釣銭硬貨等を返却する硬貨返却口２１、前扉を施錠する鍵部２２等が配設されている。
【００１７】
また、前扉２の下部には商品搬送装置１０により商品取出口８に搬送された商品を取り出すための開口部１３と、開口部１３を開閉するための取出口扉１５が設けられている。なお、取出口扉１５はロック機構部３９により、常時は開口部１３を閉塞する状態に保持されている。
【００１８】
また、本体１の下部には圧縮機４１や凝縮器４２、収納庫３内部には蒸発器４３が設けられ、これらで構成される冷却装置４０が運転されると、圧縮機４１で圧縮されて凝縮器４２で液化された冷媒が蒸発器４３で蒸発した時に発生する気化熱で収納庫３内部を所定温度に冷却する。
【００１９】
商品搬送装置１０は、商品収納コラム５から送出された商品を受容するバケット部２５と、バケット部２５の上下方向の移動を案内する案内レール２８と、バケット部２５を上下方向に移動させる駆動部３１を備えている。駆動部３１は、これを駆動する駆動モータ３２と、駆動モータ３２の回転量を検出して制御手段３０に回転量信号を出力するエンコーダ部３３を備えている。また、バケット部２５の移動を案内する案内レール２８は、バケット部２５が下方に移動して所定の下限位置に達するとき、バケット部２５の姿勢を水平状態から先端２５ａが下方に向く傾斜姿勢に変化させるように案内する（図２参照）。そして、バケット部２５が所定の下限位置に達すると下限スイッチ３５が作動し、これにより駆動モータ３２への通電が遮断されてバケット部２５の移動が停止される。
【００２０】
次に本発明の実施形態に係る自動販売機の動作を説明する。利用者が紙幣挿入口１８ａに紙幣を挿入、または硬貨投入口１８ｂに硬貨を投入して自動販売機のテンキーボタン１７を押して商品を選択すると、制御手段３０は駆動モータ３２を駆動してバケット部２５を待機位置である下限位置の傾斜姿勢から上方に移動し、エンコーダ３３からの入力信号に基づき、利用者により選択された商品が収納されている商品収納コラム５に対応する高さ位置に移動して停止する（例えば図２の破線位置参照）。
【００２１】
そして、商品収納コラム５のスパイラル部２６がスパイラル駆動部３７により回転駆動されると、収納されている商品が商品収納コラム５から送出され、その前方の所定の位置に停止しているバケット部２５に受容される。その後、商品を受容したバケット部２５を下方に向けて移動する。そして、バケット部２５が下限位置に近づくとき、バケット部２５は案内レール２８に案内されてその姿勢を先端２５ａが下方に向く姿勢に変化させ、バケット部２５に受容されている商品がその下方の商品取出口８に搬出される。
【００２２】
そして、バケット部２５が所定の下限位置に達するとバケット下限スイッチ３５が作動し、これにより駆動モータ３２への通電が遮断されて部２５の移動が停止され、販売待機位置である下限位置の傾斜姿勢に保持される。ここで、バケット部２５の先端２５ａが下方に傾いて受容している商品が商品取出口８に搬出されると、バケット部２５に設けられている商品搬出センサ３４が商品取出口８に商品が搬出されたことを検知して商品搬出信号を制御手段３０に出力する。そうすると、取出口扉１５のロック機構部３９のロックが解除され、商品取出口８内の商品が取出し可能状態となる。このように制御手段３０により各部が制御され、利用者が選択した商品が商品取出口８に搬出されて販売される。
【００２３】
図５は、本発明の実施の形態に係る自動販売機の商品取出口８を示す側断面図であって、（ａ）は取出口扉１５により開口部１３を閉塞した状態、（ｂ）は取出口扉１５を奥側に回動して開口部１３を開放した状態をそれぞれ示すである。
【００２４】
図に示すように、本実施の形態の商品取出口８は、前扉２の前面から商品を取り出すための開口部１３と、これを開閉する取出口扉１５を備えている。また、商品取出口８の上方には商品搬出装置１０のバケット部２５に収容された商品を、商品取出口８に向けて案内、送出する搬出シュート１１が配置されている。そして、商品取出口８の上部には、バケット部２５に受容される商品を、直接に又は商品搬出シュート１１を介して商品取出口８に搬出するための商品搬出口９が形成されている。取出口扉１５は上端を支持する支軸１５ａにより吊支され、商品取出口８の奥側（内方）に向かって回動自在に設けられている。また、この取出口扉１５は、商品取出口８の奥側に向かって回動されるとき、図示しない付勢手段により開口部１３を閉塞する方向に付勢される。また、取出口扉１５はロック機構部３９により、常時は開口部１３を閉塞する状態に保持され、商品搬送装置１０により商品が商品取出口８に搬送されたときにのみ、ロック機構部３９のロックが解除されて開口部１３を開放可能に制御手段３０により制御される。
【００２５】
ここで、取出口扉１５の開口部１３に対応する部分は、前方に突出する透明の中空部１５ｂにより形成され、その下部１５ｃは商品取出口８の奥側（内方）に向かって断面「く」字状に屈曲して形成されている。また、取出口扉１５の下端には、幅方向に延びる防盗板１６が前方に搖動自在に連結されている。
【００２６】
このように構成される取出口扉１５により開口部１３が閉塞される場合（図５の（ａ）参照）は、取出口扉１５の突出する透明の中空部１５ｂが開口部１３に陥入されるように位置し、その周辺が開口部１３の背面側周縁に配置された軟質ゴム等から成るマグネットパッキン部材１４に付勢手段により押圧されて当接し、開口部１３が取出口扉１５により密閉状態に閉塞される。なお、この場合、透明の中空部１５ｂを介して商品取出口８内に商品が搬出されたか否か確認することができる。
【００２７】
また、取出口扉１５は、前面を押圧されて奥側に回動されたとき、開口部１３を開放して商品取出口８内に搬出された商品を取り出し可能とするように構成されている（図５の（ｂ）参照）。また、取出口扉１５が奥側に回動されるとき、取出口扉１５の背面部によって商品取出口８の上部に形成される商品搬出口９が閉塞される。特に、取出口扉１５の下部１５ｃは商品取出口８の奥側に向かって断面「く」字状に屈曲して形成されているので、取出口扉１５が奥側に回動されたとき、商品取出口８内の商品取出し空間を広く確保することができるとともに、その上部に形成される商品搬出口９を隙間を少なくして閉塞することができる。すなわち、このような構成により、手や棒を商品取出口８を介してその奥側の内部に挿入できないようにすることができるから、商品収納部４に収納される商品の盗難等の悪戯を防止することができる。
【００２８】
また、取出口扉１５の下端に、幅方向に渡って延設された防盗板１６を前方へ搖動自在に設けたことによって、取出口扉１５を商品取出口８の奥側に押し込んで回動するとき、防盗板１６を取出口扉１５の下端から垂らしてその奥側の商品搬出口を広く覆い、手や棒をその奥側の商品収納部４に挿入し難くすることができる。
【００２９】
以上のように、本発明に係る自動販売機によれば、取出口扉１５を商品取出口８の奥側に押し込んで回動し、商品を取り出すとき、商品搬出口９を取出口扉１５の背面部によって閉塞して、手や棒等を内部に挿入できないようにすることができるから、商品収納部４に収納される商品の盗難等の悪戯を防止することができる。すなわち、これにより構造が簡単で、コストが安く、構成をコンパクトにすることができるとともに、商品の盗難等の悪戯を防止することができる商品取出口を備えた自動販売機を提供することができる。さらに、取出口扉１５を商品取出口８の奥側に押し込んで商品を取り出すとき、防盗板１６をその下端から垂らして商品搬出口９を前方から見えないように広く覆い、手や棒等をその奥側の商品収納部４に挿入し難くすることができるから、防盗性能を向上させた商品取出口８を備えた自動販売機を提供することができる。
【００３０】
なお、本発明は、言うまでもなく本実施の形態に示す装置にのみ限定されず、その趣旨の包含する範囲で応用変更が可能である。例えば、商品取出口８、開口部１３、取出口扉１５、商品搬出口９等の形状や配置構成、防盗板１６の形状等は、自動販売機の態様、構成に応じて適宜に設定されるものである。
【符号の説明】
【００３１】
１  本体
２  前扉
４  商品収納部
８  商品取出口
９  商品搬出口
１０  商品搬送装置
１３  開口部
１５  取出口扉
１５ａ  （取出口扉）支軸
１５ｃ  （取出口扉）下部
１６  防盗板
２５  バケット部
【図１】
0005418190.tif 000002
【図２】
0005418190.tif 000003
【図３】
0005418190.tif 000004
【図４】
0005418190.tif 000005
【図５】
0005418190.tif 000006